(57)【要約】【課題】  階高を抑えて建設コストの上昇を防ぎ、かつ入居者の生活形態に合わせたインフィルの構築を可能とする段差スラブを提供することである。【解決手段】  段差スラブ１は、梁２で囲まれたスラブの一辺側から他辺側に向かって漸次薄くなって段差部３、４、５が複数形成されたものである。【選択図】図１
2005180027.tif 000002
【特許請求の範囲】
【請求項１】
梁で囲まれたスラブの一辺側から他辺側に向かって漸次薄くなった段差部が複数形成されたことを特徴とする段差スラブ。
【請求項２】
各段差部の境界部には補強梁が形成され、該補強梁にはプレストレスが付与されたことを特徴とする請求項１に記載の段差スラブ。
【請求項３】
少なくとも一つの段差部には軽量埋込材が埋設されたことを特徴とする請求項１または２に記載の段差スラブ。
【請求項４】
段差部は、梁間に隣接して設置したプレキャストコンクリート板の軽量型枠またはトラス筋の高低差によって形成されたことを特徴とする請求項１〜３のいずれかに記載の段差スラブ。
【請求項５】
プレキャストコンクリート板には、プレストレスが付与されたことを特徴とする請求項４に記載の段差スラブ。
【発明の詳細な説明】
【技術分野】
【０００１】
本発明は段差スラブに関するものである。
【背景技術】
【０００２】
従来、鉄筋コンクリート造の集合住宅のスラブは、小梁付きの密実断面スラブが主流であったが、長スパン化への対応や居住空間計画の自由度の高いスラブの要求が高まったため、小梁を不要とするボイドスラブが普及した。さらに、高齢化社会に対応したバリアフリーのスラブ形式が要求されたため、図４に示すように、階高を抑えて建設コストの上昇を防ぐバリアフリー対応型のボイドスラブ１４が普及した。また、その他のバリアフリー対応型のボイドスラブとしては、例えば特開２００２−３４９００６号公報の発明がある。
【特許文献１】特開２００２−３４９００６号公報
【発明の開示】
【発明が解決しようとする課題】
【０００３】
また近年は、資源の有効活用の必要性に対する意識が高まったため、高耐久・長寿命のＳＩ型の集合住宅が提案されている。このＳＩ型の集合住宅は、長寿命であるため、使用期間中の入居者の生活形態の変化に対応する必要があった。このためバリアフリー対応型のボイドスラブと同様に階高を抑えて建設コストの上昇を防ぎ、かつ入居者の生活形態に合わせたインフィルの構築を可能とするスラブ形式が望まれている。
しかし、従来のスラブ形式では階高を抑えることはできるが、入居者の生活形態に合わせたインフィルの構築が不可能であるという問題があった。
また、バリアフリー対応型のボイドスラブ１５は、図５に示すように、隣接住戸間で段差部２４の位置が異なることから、一方のスラブ１７の補強梁１８に生じる局部的な応力集中（図中の楕円で囲んだ箇所）が他方のスラブ１９の段差部１６に大きな影響を与えるという問題があった。
【０００４】
本発明は上記のような問題に鑑みてなされたものであり、その目的は、階高を抑えて建設コストの上昇を防ぎ、かつ入居者の生活形態に合わせたインフィルの構築を可能とする段差スラブを提供することである。
【課題を解決するための手段】
【０００５】
課題を解決するための手段である本発明の段差スラブは、梁で囲まれたスラブの一辺側から他辺側に向かって漸次薄くなった段差部が複数形成されたことを特徴とする。また各段差部の境界部には補強梁が形成され、該補強梁にはプレストレスが付与されたことを含む。また、少なくとも一つの段差部には軽量埋込材が埋設されたことを含む。また段差部は、梁間に隣接して設置したプレキャストコンクリート板の軽量型枠またはトラス筋の高低差によって形成されたことを含む。またプレキャストコンクリート板には、プレストレスが付与されたことを含むものである。
【発明の効果】
【０００６】
配水管の勾配が確保できるので、階高を低くしても、浴槽や台所などの水まわり部が広い範囲で可変となり、入居者の生活形態に合致したインフィルの構築が可能になる。また隣接住戸間で補強梁位置が一致するので、施工管理が容易となり、補強梁にプレストレスを導入することにより、長スパン化に対しても階高を低く抑えたスケルトンの構築が可能になる。
【発明を実施するための最良の形態】
【０００７】
以下、本発明の段差スラブについて説明する。この段差スラブは鉄筋コンクリート構造物、いわゆるマンションなどの集合住宅に適用されるものである。
【０００８】
段差スラブ１は、図１に示すように、梁２で囲まれたスラブに厚さの異なる３つのエリア、すなわち３つの段差部３、４、５からなり、これらの段差部３がスラブの一方の短辺側から他方の短辺側に向かって漸次薄くなっている。これはあたかも段々畑のようであり、これらの段差部３、５における高低差で所定の勾配をとることができる。
【０００９】
この段差スラブ１は、梁２間に複数のプレキャストコンクリート板（以下、ＰＣ板という）６を隣接して設置し、この各ＰＣ板６に設置した軽量型枠７およびトラス筋８の高低差によって、各段差部３、４、５を形成し、これらの境界部に形成された補強梁９にはアンボンドケーブルなどの緊張材１０でプレストレスが付与されている。
【００１０】
したがって、図２に示すように、隣接住戸間で補強梁９の位置が一致するとともに、補強梁９の位置が全てのスパンで均一となることから、補強梁９に生じる局部的な応力集中（図３において円で囲んだ箇所）は隣接のスラブに大きな影響を及ぼさない他、施工管理も容易となる。また、補強梁９にプレストレスが付与されたことにより、長スパンの床であっても階高を抑えたスケルトンの構築が可能となる。
【００１１】
以下に、この段差スラブの構築方法を図１および図２に基づいて説明する。この段差スラブ１はコンクリート板１１の上面に適宜間隔ごとに配筋されたトラス筋８間に軽量型枠７が設置されたＰＣ板６を梁２間に設置して構築するものである。
【００１２】
はじめに、背の高いトラス筋８間に、ほぼ同じ高さの軽量型枠７が設置された第一のＰＣ板６ａを、梁２間に二枚隣接して設置する。次に、第一のＰＣ板６ａのトラス筋８よりも背の低いトラス筋８間に、ほぼ同じ高さの軽量型枠７が設置された第二のＰＣ板６ｂを、第一のＰＣ板６ａに隣接させて二枚設置する。次に、第二のＰＣ板６ｂのトラス筋８より背の低いトラス筋８だけが配筋された第三のＰＣ板６ｃを、第二のＰＣ板６ｂに隣接させて二枚設置する。そして、この高さの異なるＰＣ板６ａ、６ｂの境界部におけるトラス筋８間には、補強梁を形成するために軽量型枠７を設置せずに、アンボンドケーブルなどの緊張材１０を配線する。
【００１３】
このように高さの異なる軽量型枠７またはトラス筋８が設置されたＰＣ板６ａ、６ｂ、６ｃを梁２間に設置すると、各ＰＣ板６ａ、６ｂ、６ｃの間には、トラス筋８または軽量型枠７の高低差による段差ができた下床１２が形成される。そして、この段差のできた下床１２上にトップコンクリート１３を打設し、これが硬化した後に、緊張材１０を所定の力で緊張すると、補強梁９にプレストレスが付与された、図１に示すような段差スラブ１が構築される。
【００１４】
なお、上記実施の形態は鉄筋コンクリート造の集合住宅について説明したが、鉄骨または鉄骨鉄筋コンクリート造の集合住宅や、その他の建物にも適用することができる。
【図面の簡単な説明】
【００１５】
【図１】段差スラブが構築された集合住宅の縦方向の断面図である。
【図２】段差スラブが構築された集合住宅の横方向の断面図である。
【図３】段差スラブが構築される集合住宅の梁の平面図ある。
【図４】従来の段差スラブを示し、（１）は平面図、（２）は断面図である。
【図５】従来の段差スラブが構築される集合住宅の梁の平面図ある。
【符号の説明】
【００１６】
１  段差スラブ
２  梁
３、４、５、１６  段差部
６  ＰＣ板
７  軽量型枠
８  トラス筋
９、１８  補強梁
１０  緊張材
１１  コンクリート板
１２  下床
１３  トップコンクリート
１４、１５  ボイドスラブ
１７  一方のスラブ
１９  他方のスラブ
【図１】
2005180027.tif 000003
【図２】
2005180027.tif 000004
【図３】
2005180027.tif 000005
【図４】
2005180027.tif 000006
【図５】
2005180027.tif 000007